(57)【要約】【課題】  電源投入後、速やかに音声を出力することができる音響再生装置を提供する。【解決手段】  入力された音響信号がＤＳＰ２３を介す経路と、介さない経路とを切り換えるセレクタ２４、２６を備え、電源投入時に、セレクタ２４、２６の選択状態に応じて、スピーカーリレー２８のスイッチをオフ状態からオンするまでの時間を制御する。【選択図】  図２
2005033727.tif 000002
【特許請求の範囲】
【請求項１】
入力された音響信号を増幅手段により増幅し、増幅された音響信号を電源投入時にはオフ状態となっているスイッチ手段を介して出力する音響再生装置において、
上記音響信号の入力側から上記増幅手段までの接続状態を切り換える切換選択手段と、
電源投入時に、上記切換選択手段の選択状態に応じて上記スイッチ手段をオンするまでの待ち時間を制御する制御手段と
を有することを特徴とする音響再生装置。
【請求項２】
上記入力側から切換選択手段までの間に信号処理手段を有し、
上記信号処理手段側の選択状態では、上記待ち時間を上記信号処理手段の初期化に要する時間とすることを特徴とする請求項１記載の音響再生装置。
【請求項３】
上記入力側の音響信号を直接選択する状態では、上記待ち時間を上記増幅手段の動作が安定するまでに要する時間とすることを特徴とする請求項１記載の音響再生装置。
【請求項４】
上記増幅手段の動作が安定するまでに要する時間をボリューム位置に応じた時間とすることを特徴とする請求項３記載の音響再生装置。
【請求項５】
上記入力側から切換選択手段までの間に信号処理手段を有し、
電源投入時に、上記入力側の音響信号を直接選択する状態とし、上記増幅手段の動作が安定するまでに要する時間で、上記スイッチ手段をオンし、上記信号処理手段の初期化に要する時間後に、上記切換選択手段を上記信号処理手段側の選択状態に切り換え、信号処理された音響信号を０から所定値まで徐々に増加させて出力することを特徴とする請求項１記載の音響再生装置。
【発明の詳細な説明】
【技術分野】
【０００１】
近年、ディジタル技術の発展により、音響信号をディジタル信号処理し、映画館やコンサートホールといった様々な音場を再現する音響再生装置が各種提供されている。この音響再生装置によって、ユーザは市販のＤＶＤ（Digital Versatile Disc）映画ソフトやＣＤ（Compact Disc）音楽ソフト等を映画館やコンサートホールの音場で楽しむことができる。
【０００２】
従来の一般的な音響再生装置は、図６に示すように、ＡＤＣ（Analogue Digital Converter）６１、ＤＳＰ（Digital Signal Processor）６２、ＤＡＣ（Digital Analogue Converter）６３、アンプ６４、スピーカーリレー６５から構成され、これらをマイクロコンピュータ（以下、マイコンという）６６が制御している。
【０００３】
ＤＶＤ、ＣＤ等のソース機器から入力された音響信号はＡＤＣ６１でディジタル化され、ＤＳＰ６２で臨場感等の音響効果を付加するディジタル信号処理が行われる。ＤＳＰ６２で処理された音響信号はＤＡＣ６３を介してアンプ６４で増幅され、スピーカーリレー６５を介して音声が出力される。スピーカーリレー６５は様々な音場を再現するために、フロント、リア等のスピーカーを備え、音量差等をつけた立体的な音声を出力する。
【０００４】
しかし、この従来の音響再生装置においては、電源を投入した際、不自然な音が発生することが知られていた。これはアンプ６４のゲイン（増幅値）が安定状態となるまでに時間が必要なためである。
【０００５】
そこで、電源投入後、所定時間の間だけ出力にミュートを掛け、不自然な音の発生を防止し、また、ゲインが高いアンプの場合でもミュート時における音洩れを確実に防止している（例えば、特許文献１参照。）。
【０００６】
【特許文献１】実公平６−１７２１８号公報
【発明の開示】
【発明が解決しようとする課題】
【０００７】
しかしながら、近年の音響再生装置の高音質、高機能化に伴い、電源投入後、図６のＤＳＰ６２の初期化処理に必要となる時間の方が、アンプ６４のゲインが安定状態となる時間よりも長くなっている。これは、ＤＳＰ６２で音声に音量差、音質差、時間差、位相差等をつけるディジタル信号処理を行うので、ＤＳＰ６２へのプログラムのダウンロード等の初期化処理に時間が費やされるためである。
【０００８】
マイコン等の高性能化により、これらの初期化処理時間は短縮されているものの、電源投入後、スピーカーから音声が出力されるまでに８秒程度の時間が必要となる。
【０００９】
したがって、アンプ、スピーカーを同じように持ち、電源を投入してから数秒で音が聴けるテレビジョンと比較すると、音声の出力までの時間が非常にかかっているため、ユーザには不満に感じる。
【００１０】
本発明は、このような従来の実情に鑑みて提案されたものであり、電源投入後、速やかに音声を出力することができる音響再生装置を提供することを目的とする。
【課題を解決するための手段】
【００１１】
上述した目的を達成するために、本発明に係る音響再生装置は、入力された音響信号を増幅手段により増幅し、増幅された音響信号を電源投入時にはオフ状態となっているスイッチ手段を介して出力する音響再生装置において、上記音響信号の入力側から上記増幅手段までの接続状態を切り換える切換選択手段と、電源投入時に、上記切換選択手段の選択状態に応じて上記スイッチ手段をオンするまでの待ち時間を制御する制御手段とを有することを特徴としている。
【００１２】
また、上記入力側から切換選択手段までの間に信号処理手段を有し、上記信号処理手段側の選択状態では、上記待ち時間を上記信号処理手段の初期化に要する時間とすることを特徴としている。
【００１３】
さらに、上記入力側の音響信号を直接選択する状態では、上記待ち時間を上記増幅手段の動作が安定するまでに要する時間とすることを特徴としている。
【００１４】
さらにまた、上記増幅手段の動作が安定するまでに要する時間をボリューム位置に応じた時間とすることを特徴としている。
【００１５】
また、上記入力側から切換選択手段までの間に信号処理手段を有し、電源投入時に、上記入力側の音響信号を直接選択する状態とし、上記増幅手段の動作が安定するまでに要する時間で、上記スイッチ手段をオンし、上記信号処理手段の初期化に要する時間後に、上記切換選択手段を上記信号処理手段側の選択状態に切り換え、信号処理された音響信号を０から所定値まで徐々に増加させて出力することを特徴としている。
【発明の効果】
【００１６】
本発明によれば、入力された音響信号を増幅手段により増幅し、増幅された音響信号を電源投入時にはオフ状態となっているスイッチ手段を介して出力する音響再生装置において、電源投入時に、上記音響信号の入力側から上記増幅手段までの接続状態を切り換える切換選択手段の選択状態に応じて上記スイッチ手段をオンするまでの待ち時間を制御することができるので、速やかに音声を出力させることができる。
【発明を実施するための最良の形態】
【００１７】
以下、本発明を適用した具体的な実施の形態について、図面を参照しながら詳細に説明する。
【００１８】
図１は、ＤＶＤ（Digital Versatile Disc）、ＣＤ（Compact Disc）等のソース機器１１、音響再生装置１２及びスピーカー１３からなる音響再生システムを示す図である。ソース機器１１から入力された音響信号は音響再生装置１２でディジタル信号処理が行われ、スピーカー１３から音声が出力される。音響再生装置１２には音響効果が付加されていないそのままの音声を楽しむユーザのために、ソースダイレクトボタン１４が備えられている。また、電源投入後、速やかに音声を聴くことができるクイックパワーオンボタン１５が備えられている。ここで、図１のシステムでは２チャンネルステレオの場合を示しているが、複数チャンネルにしてもよい。
【００１９】
図２は音響再生装置１２の内部の構成例を示すブロック図である。ＤＳＰ（Digital Signal Processor）２３では、スピーカーリレー２８から出力される音響信号に音量差、音質差、時間差、位相差等をつけるディジタル信号処理が行われる。ＤＳＰ２３上にはそのディジタル信号処理のためのプログラムが組み込まれるので、電源投入後、初期化処理等のために８秒程度必要となる。ＤＳＰ２３からはｎチャンネルの音響信号が出力される。チャンネル数ｎは、例えば、ＤＶＤで用いられるサラウンドモードの５．１チャンネルであればｎ＝６となる。
【００２０】
アンプ２７はセレクタ２６で切り換えられた音響信号を増幅する。電源投入後、アンプ２７のゲイン（増幅値）の安定化時間は、ボリュームが大きいほど長く、小さいと短いが、ボリュームが大きくても５秒程度で安定化する。
【００２１】
セレクタ２４、２６は図１のソースダイレクトボタン１４及びクイックパワーオンボタン１５に応じて切り換えられる。セレクタ２４は入力されたディジタル信号がＤＩＲ（Digital Integrated Receiver）２１を介す経路のａ側と、入力されたアナログ信号がＡＤＣ（Analogue Digital Converter）２２、ＤＳＰ２３を介す経路又は入力されたディジタル信号がＤＩＲ２１、ＤＳＰ２３を介す経路のｂ側とを切り換える。セレクタ２６はセレクタ２４で選択された経路からＤＡＣ（Digital Analogue Converter）２５を介すｃ側と、入力されたアナログ信号がそのまま入力されるｄ側とを切り換える。したがって、セレクタ２４、２６の切り換えによる接続状態に応じて、電源投入後、速やかに音声を出力させることができる時間が決まる。例えば、電源投入後、ＤＳＰ２３を介す接続状態であれば８秒程度で音声を出力させることができ、ＤＳＰ２３を介さない接続状態であれば５秒程度で音声を出力させることができる。
【００２２】
マイクロコンピュータ（以下、マイコンという）２９は図１のソースダイレクトボタン１４及びクイックパワーオンボタン１５に応じて、セレクタ２４、２６を切り換えると共に、アンプ２７のゲインの調節、スピーカーリレー２８のオンとオフのスイッチの切り換え等の各構成ブロックを制御する。
【００２３】
以下に、図１のソースダイレクトボタン１４がオン又はオフの状態によるアナログ入力又はディジタル入力されたときの音響信号の経路について説明する。
【００２４】
まず、アナログ信号が入力された場合について説明する。ソースダイレクトボタン１４がオフの場合、ソース機器１１からアナログ入力された音響信号はＡＤＣ２２を介し、ＤＳＰ２３で各種のディジタル信号処理が行われる。そして、セレクタ２４のｂ側、ＤＡＣ２５、セレクタ２６のｃ側、アンプ２７、スピーカーリレー２８を介し、ディジタル信号処理された音響信号が出力される。一方、ソースダイレクトボタン１４がオンの場合、アナログ入力された音響信号はセレクタ２６のｄ側、アンプ２７、スピーカーリレー２８の経路を介し、ディジタル信号処理されていない音声が出力される。
【００２５】
次に、ディジタル信号が入力された場合について説明する。ソースダイレクトボタン１４がオフの場合、ディジタル入力された音響信号はＤＩＲ２１で復調され、ＤＳＰ２３で各種のディジタル信号処理が行われる。そして、セレクタ２４のｂ側、ＤＡＣ２５、セレクタ２６のｃ側、アンプ２７、スピーカーリレー２８を介し、ディジタル信号処理された音響信号が出力される。一方、ソースダイレクトボタン１４がオンの場合、ディジタル入力された音響信号はＤＩＲ２１で復調され、セレクタ２４のａ側、ＤＡＣ２５、セレクタ２６のｃ側、アンプ２７、スピーカーリレー２８の経路を介してディジタル信号処理されていない音響信号が出力される。
【００２６】
このように、音響再生装置１２はＤＳＰ２３を介す経路と、介さない経路とを有しており、ソースダイレクトボタン１４のオン又はオフの状態に応じて、セレクタ２４、２６を切り換えて制御している。
【００２７】
さらに、マイコン２９はタイマを備えており、電源投入後、スピーカーリレー２８のスイッチをオンするタイミングをソースダイレクトボタン１４のオン又はオフの状態に応じて制御する。
【００２８】
図３は音響再生装置１２の電源投入時におけるスピーカーリレー２８のスイッチ制御の第１の例を示すフローチャートである。
【００２９】
音響再生装置１２の電源が投入されると、スピーカー１３から不自然な音が出ないようにスピーカーリレー２８のスイッチをオフの状態にすると共に、マイコン２９のタイマ（計測時間）Ａとタイマ（設定時間）Ｂを０に初期化する（ステップＳ３１）。
【００３０】
そして、電源を投入した際のソースダイレクトボタン１４がオンか否か（ステップＳ３２）によって、タイマ（設定時間）Ｂをセットする。
【００３１】
ソースダイレクトボタン１４がオンの場合、上述のＤＳＰ２３を介さない経路に切り換えられ、アンプ２７のゲインが安定状態になる時間（５秒）がタイマ（設定時間）Ｂにセットされる（ステップＳ３３）。５秒はボリューム位置（ボリュームレベル）が高くてもゲインが安定状態となる時間であり、また、５秒あれば、ＤＩＲ２１及びＤＡＣ２５の初期化は終了している。
【００３２】
ソースダイレクトボタン１４がオフの場合、上述のＤＳＰ２３を介す経路に切り換えられ、ＤＳＰ２３へのプログラムのダウンロード等の時間（８秒）がタイマ（設定時間）Ｂにセットされる（ステップＳ３４）。
【００３３】
そして、タイマ（設定時間）Ｂセット後、タイマ（計測時間）Ａのカウントアップを始める（ステップＳ３５）。タイマ（計測時間）Ａがセットされたタイマ（設定時間）Ｂの時間になると（ステップＳ３６）、スピーカーリレー２８のスイッチがオンされる（ステップＳ３７）。
【００３４】
このように、電源投入時におけるソースダイレクトボタン１４のオン又はオフの状態に応じて、スピーカーリレー２８のスイッチをオンするタイミングを制御することができるので、ユーザは以前のように、ＤＳＰへのプログラムのダウンロード等の時間（８秒程度）を待たなくてもよく、それよりも短い時間で音声を聴くことができる。
【００３５】
また、上記ステップＳ３３において、アンプ２７のゲインの安定化時間は、ボリュームが大きいほど長く、小さいと短いので、マイコン２９は電源投入時のボリューム位置（ボリュームレベル）を検出し、スピーカーリレー２８のスイッチをオンする時間を調整することができる。このボリューム位置（ボリュームレベル）の検出を行うスピーカーリレー２８のスイッチ制御の第２の例について、図４のフローチャートを用いて説明する。
【００３６】
音響再生装置１２の電源が投入されると、スピーカー１３から不自然な音が出ないようにスピーカーリレー２８のスイッチをオフすると共に、マイコン２９のタイマ（計測時間）Ａとタイマ（設定時間）Ｂを０に初期化する（ステップＳ４１）。
【００３７】
そして、電源を投入した際のソースダイレクトボタン１４がオンか否か（ステップＳ４２）によって、タイマ（設定時間）Ｂの設定時間を設定する。
【００３８】
ソースダイレクトボタン１４がオンの場合、上述したＤＳＰ２３を介さない経路に切り換えられ、アンプ２７のゲインが安定状態となる時間がタイマ（設定時間）Ｂにセットされる。ここで、マイコン２９は電源投入時のボリューム位置（ボリュームレベル）を検出し（ステップＳ４３１）、そのボリューム位置（ボリュームレベル）に応じてアンプ２７のゲインが安定状態となる時間を計算し、その時間をタイマ（設定時間）Ｂにセットする（ステップＳ４３２）。
【００３９】
ソースダイレクトボタン１４がオフの場合、ＤＳＰ２３を介す経路に切り換えられ、ＤＳＰへのプログラムのダウンロード等の時間（８秒）がタイマ（設定時間）Ｂにセットされる（ステップＳ４４）。
【００４０】
そして、タイマ（設定時間）Ｂセット後、タイマ（計測時間）Ａのカウントアップを始める（ステップＳ４５）。タイマ（計測時間）Ａがセットされたタイマ（設定時間）Ｂの時間になると（ステップＳ４６）、スピーカーリレー２８のスイッチがオンされる（ステップＳ４７）。
【００４１】
このように第２の例によれば、ソースダイレクトボタン１４がオンの場合、マイコン２９は電源投入時のボリューム位置（ボリュームレベル）を検出し、スピーカーリレー２８のスイッチをオンする時間を調整することができるので、第１の例よりも短い待ち時間で音声を出力させることができる。
【００４２】
しかし、上述の２例においては、ソースダイレクトボタン１４がオンの場合でなければ、ユーザは８秒程度待たなければ音声を聴くことができない。そこで、第３の例では、ソースダイレクトボタン１４がオフの場合でも、最短で音声が出力される時間、すなわち、アンプ２７のゲインが安定状態になる時間でスピーカーリレー２８のスイッチをオンしてスピーカー１３から音声を出力し、ＤＳＰ２３の初期化の完了（８秒程度）を待って、ディジタル信号処理された音響信号を０から所定値まで徐々に出力させ、音響効果が付加された音声が出力するようにした。
【００４３】
以上のことは図１のクイックパワーオンボタン１５で行うことができる。このクイックパワーオンボタン１５のオン又はオフの状態による音響信号の経路について、図２を用いて説明する。
【００４４】
まず、アナログ信号が入力された場合について説明する。クイックパワーオンボタン１５がオンされると、セレクタ２６はｄ側に切り換えられ、入力されたアナログ信号はアンプ２７、スピーカーリレー２８の経路を介してディジタル信号処理されていない音響信号が出力され、スピーカー１３から音響効果が付加されていない音声が出力される。そして、ＤＳＰの初期化終了後、ソースダイレクトボタン１４がオフの場合、セレクタ２４はｂ側、セレクタ２６はｃ側に切り換えられ、入力されたアナログ信号はＡＤＣ２２、ＤＳＰ２３、ＤＡＣ２５、アンプ２７、スピーカーリレー２８の経路を介し、ディジタル信号処理された音響信号が０から所定値までイコライザやエフェクト値等に合わせてフェードインされ、音響効果が付加された音声が出力される。ソースダイレクトボタン１４がオンの場合はそのまま、音響効果が付加されていない音声が出力される。
【００４５】
次に、ディジタル信号が入力された場合について説明する。クイックパワーオンボタン１５がオンされると、セレクタ２４はａ側、セレクタ２６はｃ側に切り換えられ、ＤＩＲ２１、ＤＡＣ２５、アンプ２７、スピーカーリレー２８の経路を介してディジタル信号処理されていない音響信号が出力され、スピーカー１３から音響効果が付加されていない音声が出力される。そして、ＤＳＰ２３の初期化終了後、ソースダイレクトボタン１４がオフの場合、セレクタ２４はｂ側、セレクタ２６はｃ側に切り換えられ、入力されたディジタル信号はＤＡＣ２５、アンプ２７、スピーカーリレー２８の経路を介し、ディジタル信号処理された音響信号が０から所定値までイコライザやエフェクト値等に合わせてフェードインされ、音響効果が付加された音声が出力される。ソースダイレクトボタン１４がオンの場合はそのまま、音響効果が付加されていない音声が出力される。
【００４６】
このように、クイックパワーオンボタン１５をオンした際、音響信号がＤＳＰ２３を介さない経路より音声を出力させれば、常にアンプ２７のゲインが安定状態になる時間で音声を出力させることができる。
【００４７】
図５はクイックパワーオンボタン１５をオンした際のスピーカーリレー２８のスイッチ制御の第３の例を説明するフローチャートである。クイックパワーオンボタン１５がオンされると、スピーカー１３から不自然な音が出ないようにスピーカーリレー２８のスイッチをオフすると共に、マイコンのタイマ（設定時間）Ｂを５秒にセットする（ステップＳ５１）。５秒はアンプ２７のゲインが安定状態になる時間である。なお、電源投入時のボリューム位置（ボリュームレベル）を検出し、アンプ２７のゲインの安定化時間を計算し、タイマ（設定時間）Ｂをセットしてもよい。
【００４８】
ステップＳ５１でのタイマ（設定時間）Ｂのセット後、セレクタ２４、２６により、ディジタル信号処理されない経路に切り換えられ（ステップＳ５２）、タイマ（計測時間）Ａがカウントアップされる（ステップＳ５３）。タイマ（計測時間）Ａがセットされたタイマ（設定時間）Ｂの時間になると（ステップＳ５４）、スピーカーリレー２８のスイッチがオンされ（ステップＳ５５）、スピーカー１３から音声が出力される。
【００４９】
そして、ＤＳＰ２３の初期化の終了後（ステップＳ５６）、ソースダイレクトボタン１４がオンか否かが検出され（ステップＳ５７）、ソースダイレクトボタン１４がオフの場合、セレクタ２４はｂ側、セレクタ２６はｃ側に切り換えられ、音響信号はＤＳＰ２３を介し（ステップＳ５８）イコライザやエフェクト値にあわせてディジタル信号処理された音響信号が０から所定値まで徐々にフェードインされる（ステップＳ５９）。
【００５０】
一方、ステップＳ５７にて、ソースダイレクトボタン１４がオンの場合、ディジタル信号処理されていない音響信号がそのまま出力されることになる。
【００５１】
なお、上述の例では音響再生装置１２にクイックパワーオンボタン１５を設けたが、音響再生装置１２の電源ボタンをクイックパワーオンボタン１４にしてもよい。
【００５２】
このように第３の例によれば、電源投入後、常にアンプ２７のゲインの安定後、すなわち、最短の時間で音声を出力させることができる。また、ＤＳＰ２３へのプログラムのダウンロード等の初期化処理に時間が費やされてもいいので、多くのプログラムをＤＳＰ２３へダウンロードさせることもできる。
【００５３】
また、最短の時間で音声を出力させ、ＤＳＰの初期化終了後、音響効果が付加された音声を楽しむことができる。
【図面の簡単な説明】
【００５４】
【図１】本発明を適用した音響再生システムの例を示す図である。
【図２】図１のシステムにおける音響再生装置の構成例を示すブロック図である。
【図３】音響再生装置の電源を投入したときのスピーカーリレーのスイッチ制御例（例１）を示すフローチャートである。
【図４】音響再生装置の電源を投入したときのスピーカーリレーのスイッチ制御例（例２）を示すフローチャートである。
【図５】音響再生装置のクイックパワーオンボタンをオンしたときのスピーカーリレーのスイッチ制御例（例３）を示すフローチャートである。
【図６】従来の音響再生装置の構成例を示すブロック図である。
【符号の説明】
【００５５】
１１  ソース機器、  １２  音響再生装置、  １３  スピーカー、  １４  ソースダイレクトボタン、１５  クイックパワーオンボタン  ２１  ＤＩＲ、  ２２  ＡＤC、  ２３  ＤＳＰ、  ２４  セレクタ、  ２５  ＤＡＣ、  ２６  セレクタ、  ２７  アンプ、  ２８  スピーカーリレー、  ２９  マイクロコンピュータ、  ６１  ＡＤコンバータ、  ６２  ＤＳＰ、  ６３  ＤＡＣ、  ６４  アンプ、  ６５  スピーカーリレー、  ６６  マイクロコンピュータ
【図１】
2005033727.tif 000003
【図２】
2005033727.tif 000004
【図３】
2005033727.tif 000005
【図４】
2005033727.tif 000006
【図５】
2005033727.tif 000007
【図６】
2005033727.tif 000008